(57)【要約】【課題】  サイネージディスプレイに表示されたコンテンツに関連する情報を、容易に提供することが可能なサイネージディスプレイ表示情報提供装置、サイネージディスプレイ表示情報提供方法、サイネージディスプレイ表示情報提供用プログラムを提供する。【解決手段】  デジタルサイネージディスプレイ３０に表示されるコンテンツごとの関連情報を記憶するコンテンツ情報記憶部１１と、デジタルサイネージディスプレイ３０ごとのコンテンツの表示履歴情報を記憶する表示履歴情報記憶部１３と、携帯端末４０からデジタルサイネージディスプレイ３０に表示されたコンテンツの関連情報取得が要求されたときに、該当するデジタルサイネージディスプレイ３０の表示履歴情報を表示履歴情報記憶部１３から取得し、取得した表示履歴情報に含まれるコンテンツの関連情報をコンテンツ情報記憶部１１から取得して携帯端末４０に送信する関連情報提供部１６とを備える。【選択図】図１
2012018457.tif 000002
【特許請求の範囲】
【請求項１】
所定時間ごとに切り替えられてデジタルサイネージディスプレイに表示されるコンテンツの関連情報を、利用者の携帯端末に提供するサイネージディスプレイ表示情報提供装置において、
前記コンテンツごとの、関連情報を記憶する関連情報記憶部と、
前記デジタルサイネージディスプレイごとの、コンテンツの表示履歴情報を記憶する表示履歴情報記憶部と、
前記携帯端末からデジタルサイネージディスプレイの識別情報とともに、このデジタルサイネージディスプレイに表示されたコンテンツの関連情報を要求する関連情報取得要求が送信されたときに、この識別情報に該当するデジタルサイネージディスプレイの表示履歴情報を前記表示履歴情報記憶部から取得し、この取得した表示履歴情報に含まれるコンテンツの関連情報を前記関連情報記憶部から取得して前記携帯端末に送信する関連情報提供部と、
を備えることを特徴とするサイネージディスプレイ表示情報提供装置。
【請求項２】
前記関連情報記憶部に記憶されるコンテンツの関連情報は、当該コンテンツを特定するために表示させる見出し用コンテンツ情報と、当該コンテンツの詳細情報を提供するＷｅｂサイトである関連サイトのアドレス情報とを含み、
前記見出し用コンテンツ情報は、画像情報、またはテキスト情報による当該コンテンツのタイトルであり、
前記関連情報提供部は、前記関連情報として、前記見出し用コンテンツ情報を表示させるとともに前記関連サイトのアドレス情報にリンクされた情報を表示させるアクセスページ情報を生成し、前記携帯端末に送信する
ことを特徴とする請求項１に記載のサイネージディスプレイ表示情報提供装置。
【請求項３】
前記見出し用コンテンツ情報は、
予め登録された見出し用コンテンツ情報が利用されるか、または
前記デジタルサイネージディスプレイに表示されたコンテンツ情報からキャプチャされた画像情報が利用される
ことを特徴とする請求項２に記載のサイネージディスプレイ表示情報提供装置。
【請求項４】
関連情報提供部において前記携帯端末から取得されるデジタルサイネージディスプレイの識別情報は、
前記携帯端末で取得された当該端末の位置情報と、予め記憶された前記デジタルサイネージディスプレイの位置情報とから特定される
ことを特徴とする請求項１〜３いずれか１項に記載のサイネージディスプレイ表示情報提供装置。
【請求項５】
前記アクセスページ情報は、前記見出し用コンテンツ情報ごとに複数の画面情報により構成される
ことを特徴とする請求項２〜４いずれか１項に記載のサイネージディスプレイ表示情報提供装置。
【請求項６】
前記関連情報記憶部には、異なる形式の複数の見出し用コンテンツ情報が記憶され、
前記関連情報提供部は、前記関連情報取得要求が送信された携帯端末の機種に基づいて使用する見出し用コンテンツ情報の形式を特定し、この特定した見出し用コンテンツ情報を使用して前記アクセスページ情報を生成する
ことを特徴とする請求項２〜５いずれか１項に記載のサイネージディスプレイ表示情報提供装置。
【請求項７】
所定時間ごとに切り替えられてデジタルサイネージディスプレイに表示されるコンテンツの関連情報を、利用者の携帯端末に提供するサイネージディスプレイ表示情報提供装置が、
前記コンテンツごとの、関連情報を記憶する関連情報記憶ステップと、
前記デジタルサイネージディスプレイごとの、コンテンツの表示履歴情報を記憶する表示履歴情報記憶ステップと、
前記携帯端末からデジタルサイネージディスプレイの識別情報とともに、このデジタルサイネージディスプレイに表示されたコンテンツの関連情報を要求する関連情報取得要求が送信されたときに、この識別情報に該当するデジタルサイネージディスプレイの表示履歴情報を前記表示履歴情報記憶ステップで記憶された中から取得し、この取得した表示履歴情報に含まれるコンテンツの関連情報を前記関連情報記憶ステップで記憶された中から取得して前記携帯端末に送信する関連情報提供ステップと、
を有することを特徴とするサイネージディスプレイ表示情報提供方法。
【請求項８】
前記関連情報記憶ステップで記憶されるコンテンツの関連情報は、当該コンテンツを特定するために表示させる見出し用コンテンツ情報と、当該コンテンツの詳細情報を提供するＷｅｂサイトである関連サイトのアドレス情報とを含み、
前記見出し用コンテンツ情報は、画像情報、またはテキスト情報による当該コンテンツのタイトルであり、
前記関連情報提供ステップでは、前記関連情報として、前記見出し用コンテンツ情報を表示させるとともに前記関連サイトのアドレス情報にリンクされた情報を表示させるアクセスページ情報を生成し、前記携帯端末に送信する
ことを特徴とする請求項７に記載のサイネージディスプレイ表示情報提供方法。
【請求項９】
前記関連情報記憶ステップでは、異なる形式の複数の見出し用コンテンツ情報が記憶され、
前記関連情報提供ステップでは、前記関連情報取得要求が送信された携帯端末の機種に基づいて使用する見出し用コンテンツ情報の形式を特定し、この特定した見出し用コンテンツ情報を使用して前記アクセスページ情報を生成する
ことを特徴とする請求項７または８に記載のサイネージディスプレイ表示情報提供方法。
【請求項１０】
請求項７ないし９いずれか１項に記載のサイネージディスプレイ表示情報提供方法をコンピュータに実行させるためのサイネージディスプレイ表示情報提供用プログラム。
【発明の詳細な説明】
【技術分野】
【０００１】
本発明は、ネットワークを介して接続されたサイネージディスプレイに表示させた情報の関連情報を、利用者が保持する携帯端末に提供するサイネージディスプレイ表示情報提供装置、サイネージディスプレイ表示情報提供方法、およびサイネージディスプレイ表示情報提供用プログラムに関する。
【背景技術】
【０００２】
従来、店舗、街頭などに設置されたデジタルサイネージディスプレイに対し、ネットワークを介して接続されたコンテンツ配信制御サーバから表示コンテンツを配信するシステムが知られており、デジタルサイネージシステムあるいは単にサイネージと呼ばれている。
【０００３】
このデジタルサイネージシステムを利用した技術として、例えば非特許文献１に記載されたものがある。
【０００４】
この非特許文献１には、広告主がコンテンツ配信制御サーバに対して広告を出稿することで、多種・複数のデジタルサイネージシステムのディスプレイに表示させることが可能なデジタルサイネージ技術が記載されている。
【０００５】
さらにこのデジタルサイネージ技術では、各ディスプレイの設置場所に関するメタデータを予め保持しておき、このメタデータにマッチするコンテンツを配信することで、各ディスプレイの設置場所に適したコンテンツ表示を可能にしている。
【０００６】
このようなデジタルサイネージディスプレイに表示されるコンテンツは、通常、１画面で概略を伝えるための画像あるいは映像であり、一定時間で他のコンテンツに切り替えられる。
【０００７】
そのため、サイネージディスプレイに表示されたコンテンツに興味を持った利用者がそのコンテンツに関連する詳細情報等を取得するためには、コンテンツが表示されたディスプレイ上で、ポインティングデバイスによるポインティング操作やタッチパネルによる操作等、何らかの操作を行うことが必要になる。
【０００８】
コンテンツが表示されたディスプレイ上で、コンテンツの関連情報を取得する操作を行うための技術として、特許文献１に記載の光信号ポインティング方法がある。
【０００９】
この方法を利用することにより、色発光可能な光源デバイスより発信する光信号を用いて大型ディスプレイの表示領域中の任意の位置がポインティングされたときに、このディスプレイをイメージセンサ手段で撮影した画像からポインティングされた位置を求め、さらに、当該位置に所定の操作イベント信号を入力することが可能な新たなポインティングシステムが実現される。
【先行技術文献】
【非特許文献】
【００１０】
【非特許文献１】鈴木、他「メタデータを用いた配信・管理の統合化技術」NTT技術ジャーナル 2009.7, p12-15
【特許文献】
【００１１】
【特許文献１】特許第４４３６１６４号公報
【発明の概要】
【発明が解決しようとする課題】
【００１２】
しかし、上述したようなポインティングデバイスによるポインティング操作やタッチパネルによる操作等を行うためには、ポインティングデバイスやタッチパネル等、サイネージディスプレイ以外の装置を新たに設置する必要がある。
【００１３】
また、上記特許文献１の技術を利用する場合には、ポインティングイメージセンサ装置が必要である。
【００１４】
この場合、サイネージディスプレイは屋外を含む公共空間に設置されることが多く、これらの装置をサイネージディスプレイとともに屋外に設置しようとするとシステムの堅牢性や保守性が低くなってしまうという問題があった。
【００１５】
これらのサイネージディスプレイ以外の装置を設置せずに、屋外で表示された広告に関連する詳細情報を提供するための方法として、近年は紙の広告ポスター等に、当該広告に関連する詳細情報を提供するＷｅｂサイトのＵＲＬ情報やこのＵＲＬ情報を表すバーコードを表示したり、検索エンジンを経由してそのＷｅｂサイトに誘導するための「検索キーワード」を表示したりすることで、利用者の携帯端末で詳細情報を取得できるようにしたものがある。
【００１６】
その方法を利用し、サイネージディスプレイに表示コンテンツとともに上述したようなＵＲＬ情報、バーコード、検索キーワードを表示する方法も考えられる。
【００１７】
しかし、サイネージディスプレイにおいては、通常一定時間で表示コンテンツが切り替わってしまうため、表示コンテンツ上にこのようなＷｅｂサイトのＵＲＬ情報やこのＵＲＬ情報を表すバーコード、あるいは検索キーワードを表示しても、利用者がバーコード読み取り操作の準備をしたり、検索エンジンや当該ＵＲＬへアクセスする操作を行ったりしている間に表示コンテンツが切り替わってしまい、所望のＷｅｂサイトにアクセスできなくなることがあるという問題があった。
【００１８】
そこで本発明では、サイネージディスプレイに表示されたコンテンツに関連する情報を、容易に提供することが可能なサイネージディスプレイ表示情報提供装置、サイネージディスプレイ表示情報提供方法、およびサイネージディスプレイ表示情報提供用プログラムを提供することを目的とする。
【課題を解決するための手段】
【００１９】
上記の課題を解決するための、本発明のサイネージディスプレイ表示情報提供装置は、所定時間ごとに切り替えられてデジタルサイネージディスプレイに表示されるコンテンツの関連情報を、利用者の携帯端末に提供するサイネージディスプレイ表示情報提供装置において、前記コンテンツごとの、関連情報を記憶する関連情報記憶部と、前記デジタルサイネージディスプレイごとの、コンテンツの表示履歴情報を記憶する表示履歴情報記憶部と、前記携帯端末からデジタルサイネージディスプレイの識別情報とともに、このデジタルサイネージディスプレイに表示されたコンテンツの関連情報を要求する関連情報取得要求が送信されたときに、この識別情報に該当するデジタルサイネージディスプレイの表示履歴情報を前記表示履歴情報記憶部から取得し、この取得した表示履歴情報に含まれるコンテンツの関連情報を前記関連情報記憶部から取得して前記携帯端末に送信する関連情報提供部とを備えることを特徴とする。
【００２０】
また、本発明のサイネージディスプレイ表示情報提供方法は、所定時間ごとに切り替えられてデジタルサイネージディスプレイに表示されるコンテンツの関連情報を、利用者の携帯端末に提供するサイネージディスプレイ表示情報提供装置が、前記コンテンツごとの、関連情報を記憶する関連情報記憶ステップと、前記デジタルサイネージディスプレイごとの、コンテンツの表示履歴情報を記憶する表示履歴情報記憶ステップと、前記携帯端末からデジタルサイネージディスプレイの識別情報とともに、このデジタルサイネージディスプレイに表示されたコンテンツの関連情報を要求する関連情報取得要求が送信されたときに、この識別情報に該当するデジタルサイネージディスプレイの表示履歴情報を前記表示履歴情報記憶ステップで記憶された中から取得し、この取得した表示履歴情報に含まれるコンテンツの関連情報を前記関連情報記憶ステップで記憶された中から取得して前記携帯端末に送信する関連情報提供ステップとを有することを特徴とする。
【００２１】
また、本発明のサイネージディスプレイ表示情報提供用プログラムは、上記サイネージディスプレイ表示情報提供方法をコンピュータに実行させることを特徴とする。
【発明の効果】
【００２２】
本発明のサイネージディスプレイ表示情報提供装置、サイネージディスプレイ表示情報提供方法、およびサイネージディスプレイ表示情報提供用プログラムによれば、サイネージディスプレイに表示されたコンテンツに関連する情報を、容易に提供することができる。
【図面の簡単な説明】
【００２３】
【図１】本発明の一実施形態によるサイネージディスプレイ表示情報提供装置を利用したサイネージシステムの構成を示すブロック図である。
【図２】本発明の一実施形態によるサイネージディスプレイ表示情報提供装置において表示履歴情報が記憶されるときの動作を示すフローチャートである。
【図３】本発明の一実施形態によるサイネージディスプレイ表示情報提供装置のコンテンツ情報記憶部に記憶されたコンテンツ情報テーブルの一例である。
【図４】本発明の一実施形態によるサイネージディスプレイ表示情報提供装置のコンテンツ情報記憶部に記憶されたコンテンツ情報テーブルの他の例である。
【図５】本発明の一実施形態によるサイネージディスプレイ表示情報提供装置の表示履歴情報記憶部に記憶された表示履歴情報テーブルの一例である。
【図６】本発明の一実施形態によるサイネージディスプレイ表示情報提供装置において関連情報取得要求が送信されたときの動作を示すフローチャートである。
【図７】（Ａ）、（Ｂ）は、本発明の一実施形態によるサイネージディスプレイ表示情報提供装置に接続されたデジタルサイネージディスプレイを示す正面図である。
【図８】本発明の一実施形態によるサイネージディスプレイ表示情報提供装置の関連情報提供部に記憶された位置情報テーブルの一例である。
【図９】本発明の一実施形態によるサイネージディスプレイ表示情報提供装置の関連情報提供部によるディスプレイＩＤ取得処理の動作を示すフローチャート図である。
【図１０】本発明の一実施形態によるサイネージディスプレイ表示情報提供装置の関連情報提供部に記憶されるアクセスポイント情報テーブルの一例である。
【図１１】本発明の一実施形態によるサイネージディスプレイ表示情報提供装置の関連情報提供部による他のディスプレイＩＤ取得処理の動作を示すフローチャート図である。
【図１２】本発明の一実施形態によるサイネージディスプレイ表示情報提供装置の関連情報提供部によるアクセスページ生成処理の動作を示すフローチャート図である。
【図１３】（Ａ）、（Ｂ）は、本発明の一実施形態によるサイネージディスプレイ表示情報提供装置の関連情報提供部により生成されたアクセスページ情報の例を示す画面構成図である。
【図１４】本発明の一実施形態によるサイネージディスプレイ表示情報提供装置の関連情報提供部による他のアクセスページ生成処理の動作を示すフローチャート図である。
【図１５】本発明の一実施形態によるサイネージディスプレイ表示情報提供装置の関連情報提供部によるアクセスページ生成処理において生成されるコンテンツＩＤリストの一例である。
【図１６】本発明の一実施形態によるサイネージディスプレイ表示情報提供装置の関連情報提供部による他のアクセスページ表示処理の動作を示すフローチャート図である。
【図１７】本発明の一実施形態によるサイネージディスプレイ表示情報提供装置の関連情報提供部により生成されたアクセスページ情報の他の例を示す画面構成図である。
【図１８】本発明の一実施形態によるサイネージディスプレイ表示情報提供装置のコンテンツ情報記憶部に記憶されたコンテンツ情報テーブルの他の例である。
【図１９】本発明の一実施形態によるサイネージディスプレイ表示情報提供装置の関連情報提供部に記憶された機種別コンテンツ情報テーブルの一例である。
【図２０】本発明の一実施形態によるサイネージディスプレイ表示情報提供装置の関連情報提供部で実行される見出し用コンテンツ情報を選択する処理の動作を示すフローチャートである。
【発明を実施するための形態】
【００２４】
〈一実施形態によるサイネージディスプレイ表示情報提供装置を利用したサイネージシステムの構成〉
本発明の一実施形態によるサイネージシステム１の構成を、図１を参照して説明する。
【００２５】
本実施形態によるサイネージシステム１は、サイネージディスプレイ表示情報提供装置１０と、このサイネージディスプレイ表示情報提供装置１０にネットワーク２０介して接続された複数のデジタルサイネージディスプレイ３０−１、３０−２および利用者が携帯する携帯端末４０とを備える。
【００２６】
サイネージディスプレイ表示情報提供装置１０はそれぞれ、関連情報記憶部としてのコンテンツ情報記憶部１１と、コンテンツ情報管理部１２と、表示履歴情報記憶部１３と、表示履歴情報管理部１４と、配信制御部１５と、関連情報提供部１６とを有する。
【００２７】
コンテンツ情報記憶部１１は、各コンテンツの関連情報として、デジタルサイネージディスプレイ３０−１、３０−２に表示させるための表示用コンテンツ情報と、利用者にコンテンツを特定させるために携帯端末４０に見出しとして表示させる見出し用コンテンツ情報と、該当するコンテンツの詳細情報を提供するＷｅｂサイトである関連サイトのアドレス情報であるＵＲＬ情報とを、コンテンツＩＤごとに記憶する。
【００２８】
コンテンツ情報管理部１２は、コンテンツ情報記憶部１１に記憶する表示用コンテンツ情報、見出し用コンテンツ情報、およびＵＲＬ情報の、追加、更新、参照等の管理を行う。
【００２９】
表示履歴情報記憶部１３は、デジタルサイネージディスプレイ３０−１、３０−２ごとの、コンテンツの表示履歴情報を記憶する。
【００３０】
表示履歴情報管理部１４は、配信制御部１５からデジタルサイネージディスプレイ３０−１、３０−２に配信されたコンテンツの情報を取得し、表示履歴情報記憶部１３に送出することで、表示履歴情報記憶部１３に記憶する表示履歴情報の追加、更新を行う。また表示履歴情報管理部１４は、関連情報提供部１６からの要求により、表示履歴情報記憶部１３に記憶された表示履歴情報の参照を行う。
【００３１】
配信制御部１５は、外部から指定されたコンテンツ表示スケジュールに基づいて、コンテンツ情報管理部１２によりコンテンツ情報記憶部１１から参照された表示用コンテンツ情報を表示対象のデジタルサイネージディスプレイ３０に配信するとともに、この配信したコンテンツの情報を表示履歴情報管理部１４に送出する。
【００３２】
関連情報提供部１６は、利用者の操作により携帯端末４０からデジタルサイネージディスプレイ３０の識別情報とともに、このデジタルサイネージディスプレイ３０に表示されたコンテンツの関連情報を要求する関連情報取得要求が送信されたときに、この識別情報に該当するデジタルサイネージディスプレイ３０の表示履歴情報を表示履歴情報記憶部１３から取得し、この取得した表示履歴情報に含まれるコンテンツの関連情報をコンテンツ情報記憶部１１から取得して携帯端末４０に送信する。
【００３３】
〈一実施形態によるサイネージディスプレイ表示情報提供装置を利用したサイネージシステムの動作〉
本実施形態によるサイネージシステム１の動作として、まずデジタルサイネージディスプレイ３０−１および３０−２に表示されたコンテンツの履歴情報が記憶されるときの処理について、図２のフローチャートを参照して説明する。
【００３４】
本実施形態においてサイネージシステム１が稼働するにあたり、予め各コンテンツの関連情報として、デジタルサイネージディスプレイ３０−１、３０−２に表示させるための表示用コンテンツ情報と、該当するコンテンの見出しを携帯端末４０に表示させるための見出し用コンテンツ情報と、該当するコンテンツの詳細情報を提供するＷｅｂサイトである関連サイトのＵＲＬ情報とが、コンテンツＩＤごとにコンテンツ情報記憶部１１に記憶されているものとする。
【００３５】
図３はコンテンツ情報記憶部１１に記憶されたコンテンツ情報テーブルの一例であり、各コンテンツを識別するコンテンツＩＤ「xxxx01」〜「xxxx04」ごとの、デジタルサイネージディスプレイ３０−１、３０−２に表示させるための表示用コンテンツ情報と、携帯端末４０に該当するコンテンツを特定するために表示させる画像情報である見出し用コンテンツ情報と、該当するコンテンツの詳細情報を提供するＷｅｂサイトである関連サイトのＵＲＬ情報とが記憶されている。
【００３６】
ここで、コンテンツＩＤ「xxxx01」の表示用コンテンツ情報は画像情報「xxxx01.jpg」であり、見出し用コンテンツ情報も画像情報「xxxx01.jpg」であり、関連サイトのＵＲＬ情報はアドレス「http://xxxxx.xxxxx/xxxxx01」であることが示されている。また、コンテンツＩＤ「xxxx02」の表示用コンテンツ情報は動画情報「xxxx02.ｍpg」であり、見出し用コンテンツ情報は画像情報「xxxx02.jpg」であり、関連サイトのＵＲＬ情報はアドレス「http://xxxxx.xxxxx/xxxxx02」であることが示されている。また、コンテンツＩＤ「xxxx03」の表示用コンテンツ情報はＨＴＭＬ文書「xxxx03.htm」であり、見出し用コンテンツ情報は画像情報「xxxx03.jpg」であり、関連サイトのＵＲＬ情報はアドレス「http://xxxxx.xxxxx/xxxxx03」であることが示されている。また、コンテンツＩＤ「xxxx04」の表示用コンテンツ情報は動画情報「xxxx04.ｍpg」であり、見出し用コンテンツ情報は画像情報「xxxx04.jpg」であり、関連サイトのＵＲＬ情報はアドレス「http://xxxxx.xxxxx/xxxxx04」であることが示されている。
【００３７】
また図４はコンテンツ情報記憶部１１に記憶されたコンテンツ情報テーブルの別の一例であり、各コンテンツを識別するコンテンツＩＤ「xxxx01」〜「xxxx04」ごとの、デジタルサイネージディスプレイ３０−１、３０−２に表示させるための表示用コンテンツ情報と、携帯端末４０に該当するコンテンツを特定するために表示させるテキスト情報によるタイトルである見出し用コンテンツ情報と、該当するコンテンツの詳細情報を提供するＷｅｂサイトである関連サイトのＵＲＬ情報とが記憶されている。
【００３８】
ここで、コンテンツＩＤ「xxxx01」の表示用コンテンツ情報は画像情報「xxxx01.jpg」であり、見出し用コンテンツ情報はテキスト情報「xxxx銀行xxxx支店」であり、関連サイトのＵＲＬ情報はアドレス「http://xxxxx.xxxxx/xxxxx01」であることが示されている。また、コンテンツＩＤ「xxxx02」の表示用コンテンツ情報は動画情報「xxxx02.ｍpg」であり、見出し用コンテンツ情報はテキスト情報「xxxx屋xxxx店」であり、関連サイトのＵＲＬ情報はアドレス「http://xxxxx.xxxxx/xxxxx02」であることが示されている。また、コンテンツＩＤ「xxxx03」の表示用コンテンツ情報はＨＴＭＬ文書「xxxx03.htm」であり、見出し用コンテンツ情報はテキスト情報「xxxx美容室」であり、関連サイトのＵＲＬ情報はアドレス「http://xxxxx.xxxxx/xxxxx03」であることが示されている。また、コンテンツＩＤ「xxxx04」の表示用コンテンツ情報は動画情報「xxxx04.ｍpg」であり、見出し用コンテンツ情報はテキスト情報「xxxxレストラン」であり、関連サイトのＵＲＬ情報はアドレス「http://xxxxx.xxxxx/xxxxx04」であることが示されている。
【００３９】
このコンテンツ情報記憶部１１に記憶される各情報は、コンテンツ情報管理部１２の汎用的なデータベースマネジメントシステム（ＤＢＭＳ）機能により、登録、追加、更新、参照等の管理が行われる。
【００４０】
このうち、表示用コンテンツ情報と関連サイトのＵＲＬ情報とは、コンテンツを提供する広告主等の登録者の指定操作による登録処理に基づいて取得され、コンテンツ情報管理部１２によりコンテンツ情報記憶部１１に記憶される。
【００４１】
その際、コンテンツを一意に識別するためのコンテンツＩＤが、登録者の操作により指定されるかまたは、コンテンツ情報管理部１２のＤＢＭＳ機能によりＩＤ番号が自動に払い出されることにより付され、このＩＤ番号ごとに各情報が記憶される。
【００４２】
また、これらの情報がコンテンツ情報記憶部１１に記憶される際は、コンテンツ情報管理部１２のＤＢＭＳ機能を直接用いて（例えばＳＱＬを記述する方法により）登録処理を行うことも可能であるが、これらの登録を行うためのＷｅｂアプリケーションを作成しておき、Ｗｅｂブラウザ経由でこのアプリケーションを利用して登録処理を行うことが近年では一般的である。
【００４３】
またコンテンツ情報記憶部１１に記憶される情報のうち見出し用コンテンツ情報は、例えば以下の見出し用コンテンツ情報取得方法（１）〜（３）のいずれかにより取得される。
【００４４】
−見出し用コンテンツ情報取得方法（１）−
第１の方法として、表示用コンテンツや関連サイトのＵＲＬ情報と同様に、登録者の操作による登録処理に基づいて取得する方法がある。
【００４５】
この方法では、上述した登録用のＷｅｂアプリケーションにより見出し用コンテンツ情報も指定できるように構成することで見出し用コンテンツ情報が取得される。
【００４６】
特に図４に示すような、見出し用コンテンツ情報としてテキスト情報を利用する場合には、登録者の操作で簡易に指定可能であるためこの方法が好適である。
【００４７】
−見出し用コンテンツ情報取得方法（２）−
第２の方法として、登録された表示用コンテンツ情報から自動的に取得する方法がある。
【００４８】
この方法では、例えば表示用コンテンツ情報が登録される際にその表示用コンテンツ情報の画面表示情報がキャプチャされ、それが予め設定されたサイズの画像ファイルに変換されることで、見出し用コンテンツ情報が取得される。
【００４９】
ここで表示用コンテンツ情報の画面表示情報は、実際にＷｅｂブラウザ等で表示をしなくても、ＯＳ等により提供されるライブラリ機能を用いて仮想的なフレームバッファ上に展開されることでキャプチャされ、ＪＰＥＧ等の画像ファイルに変換可能である。
【００５０】
また、表示用コンテンツ情報が動画、アニメーション、動的なＨＴＭＬ文書などのように経時的に変化するコンテンツ情報の場合は、その中の予め決められた位置のフレーム、例えば先頭フレームが表示されるときの画面表示情報がキャプチャされるように設定することで、見出し用コンテンツ情報の取得が可能である。
【００５１】
また、図４に示すように見出し用コンテンツ情報としてテキスト情報を利用する場合には、例えば特許第３３７５２９２号公報に記載された画像中からテキスト領域を自動抽出する技術や、特開２００７−１６４２５３号公報に記載された抽出されたテキスト領域からテキストの文字コードを自動抽出する技術を利用して、表示用コンテンツ情報の画像から特定の条件のテキスト（例えば、最も大きいサイズのテキスト）を抽出し、これを見出し用コンテンツ情報とすることができる。
【００５２】
−見出し用コンテンツ情報取得方法（３）−
また第３の方法として、上述した方法（１）と（２）とを組み合わせて実行することも可能であり、例えば、方法（１）のように登録者により見出し用コンテンツ情報が指定されたときにはこれを優先的に登録し、指定がなかったときに方法（２）を利用して見出し用コンテンツ情報を取得して登録するように設定することも可能である。
【００５３】
このようにしてコンテンツ情報がコンテンツ情報記憶部１１に記憶されている状態でサイネージシステム１において表示用コンテンツ配信処理が開始されると、配信制御部１５の制御により、外部から指定されたコンテンツ表示スケジュールに基づいて、コンテンツ情報記憶部１１に記憶された表示用コンテンツ情報がコンテンツ情報管理部１２により参照されて（Ｓ１）、表示対象のデジタルサイネージディスプレイ３０に配信される（Ｓ２）。
【００５４】
ここで、表示用コンテンツ情報を参照および配信するスケジュールは、例えば非特許文献１に記載の技術を利用し、予め設定された各ディスプレイの設置場所に関するメタデータにマッチするコンテンツを配信するように決定される。
【００５５】
本実施形態における配信制御部１５では、デジタルサイネージディスプレイ３０の識別情報（ディスプレイＩＤ）ごとにコンテンツＩＤを用いて記述されたスケジュール情報が外部から指定されることで、表示用コンテンツ配信処理が実行されるものとする。
【００５６】
また配信制御部１５の配信処理により表示用コンテンツ情報が配信されると、この配信されたコンテンツの情報が表示履歴情報管理部１４を介して表示履歴情報記憶部１３に送出され、コンテンツの表示履歴情報として記憶される（Ｓ３）。
【００５７】
この配信制御部１５による表示用コンテンツ情報の配信処理および表示履歴情報の送出処理は、例えば以下の配信制御部１５の動作方法（１）または（２）のいずれかにより実行される。
【００５８】
−配信制御部１５の動作方法（１）−
第１の方法として、ＵＲＬ［http://tomcat.apache.org/］またはＵＲＬ［http://www.djangoproject.com/］で示されるＷｅｂページに記載されたような、Ｗｅｂサーバ上のＷｅｂアプリケーションとして実装する方法がある。
【００５９】
この場合、各デジタルサイネージディスプレイ３０にはＷｅｂブラウザ機能が搭載され、デジタルサイネージディスプレイ３０を識別するＩＤが付加されたＨＴＴＰリクエストにより、表示すべき表示用コンテンツ情報が取得される。
【００６０】
また、このＷｅｂアプリケーションでは、配信する表示用コンテンツ情報に適切なmetaタグやscriptが付加されることにより、デジタルサイネージディスプレイ３０に搭載されたＷｅｂブラウザに対して、一定時間経過後、自動的に次の表示用コンテンツ情報に対応するＨＴＴＰリクエストを発行させることが可能であり、この方法により、利用者の操作なしにデジタルサイネージディスプレイ３０に表示される表示用コンテンツ情報が切り替えられるよう制御される。
【００６１】
また、このＷｅｂアプリケーションには、デジタルサイネージディスプレイ３０に対してＨＴＴＰレスポンスを返す時点で、どのデジタルサイネージディスプレイ３０に対してどのコンテンツを表示させるかを示す情報が保持されているので、その時点の時刻情報と共に、表示履歴情報管理部１４にこれらの情報が通知されることで、表示履歴情報の送出処理が実行される。
【００６２】
−配信制御部１５の動作方法（２）−
また第２の方法として、非特許文献１に記載されたサイネージ配信制御サーバを利用することにより、表示用コンテンツ情報の配信処理および表示履歴情報の送出処理を行う方法がある。
【００６３】
この場合、共通IFをもった各サイネージシステムにより枠メタデータとして定義されたスケジュールに従って各デジタルサイネージディスプレイ３０に表示されることから、この枠メタデータ自体から、対象のデジタルサイネージディスプレイ３０の識別情報、表示用コンテンツ情報、スケジュールされた時刻情報が取り出されて表示履歴情報管理部１４に通知されることで、表示履歴情報の送出処理が実行される。
【００６４】
ここで、表示履歴情報管理部１４も汎用的なデータベースマネジメントシステム（ＤＢＭＳ）機能が利用され、各デジタルサイネージディスプレイ３０を識別するディスプレイＩＤごとの、表示された表示用コンテンツ情報のコンテンツＩＤおよび表示された時刻情報の表示履歴情報記憶部１３への追加、更新、参照等の管理が行われる。
【００６５】
この表示履歴情報管理部１４とコンテンツ情報管理部１２とは、同一のＤＢＭＳにより構成してもよいし、あるいは別のＤＢＭＳにより構成してもよい。
【００６６】
配信制御部１５の表示履歴情報の送出処理により、表示履歴情報管理部１４を介して表示履歴情報記憶部１３に記憶された表示履歴情報テーブルの一例を、図５に示す。
【００６７】
図５に示す表示履歴情報テーブルには、デジタルサイネージディスプレイ３０−１のディスプレイＩＤ「１」の表示履歴情報として、表示時刻「2010/05/01  15:00:00」にコンテンツＩＤ「xxxxx01」で示される表示用コンテンツが表示され、表示時刻「2010/05/01  15:00:30」にコンテンツＩＤ「xxxxx02」で示される表示用コンテンツが表示され、表示時刻「2010/05/01  15:01:00」にコンテンツＩＤ「xxxxx03」で示される表示用コンテンツが表示され、表示時刻「2010/05/01  15:01:30」にコンテンツＩＤ「xxxxx04」で示される表示用コンテンツが表示されたことが示されている。
【００６８】
また、デジタルサイネージディスプレイ３０−２のディスプレイＩＤ「２」の表示履歴情報として、表示時刻「2010/05/01  15:00:10」にコンテンツＩＤ「xxxxx01」で示される表示用コンテンツが表示され、表示時刻「2010/05/01  15:00:40」にコンテンツＩＤ「xxxxx05」で示される表示用コンテンツが表示され、表示時刻「2010/05/01  15:01:10」にコンテンツＩＤ「xxxxx06」で示される表示用コンテンツが表示され、表示時刻「2010/05/01  15:01:40」にコンテンツＩＤ「xxxxx02」で示される表示用コンテンツが表示されたことが示されている。
【００６９】
また本実施形態においては、現在時刻よりある程度（例えば5分間）の時間が経過した過去の表示履歴情報は、その時刻においてデジタルサイネージディスプレイ３０を見て関連情報にアクセスしようとしている利用者にとっては無意味である可能性が高いものとして、ＤＢＭＳの機能により定期的に表示履歴情報記憶部１３に記憶された表示履歴情報をチェックし、現在時刻から予め決められた時間（例えば5分間）より以前の表示履歴情報を消去する処理が実行される。このような消去処理が定期的に実行されることにより、表示履歴情報の情報量が増大し過ぎることが防止される。
【００７０】
以上説明したように、配信制御部１５により、コンテンツ情報記憶部１１に記憶された表示用コンテンツがコンテンツ情報管理部１２から参照されて配信され、またこれに伴い表示履歴情報が表示履歴情報管理部１４から表示履歴情報記憶部１３に送出され記憶されている状態で、利用者の操作により携帯端末４０から、いずれかのデジタルサイネージディスプレイ３０に表示されたコンテンツの関連情報を要求する関連情報取得要求がネットワーク２０を介して送信されたときの処理について、図６のフローチャートを参照して説明する。
【００７１】
携帯端末４０から送信された関連情報取得要求は、サイネージディスプレイ表示情報提供装置１０の関連情報提供部１６で取得される（Ｓ４）。
【００７２】
関連情報提供部１６では、関連情報取得要求が取得されると、この関連情報取得要求の中から該当するデジタルサイネージディスプレイ３０のディスプレイＩＤが取得される（Ｓ５）。
【００７３】
近年は市販されている携帯端末のほとんどがＨＴＴＰによりネットワーク上のサーバへアクセスするための機能が組み込まれていることを利用し、この関連情報提供部１６に関しても配信制御部１５と同様に、ＵＲＬ［http://tomcat.apache.org/］またはＵＲＬ［http://www.djangoproject.com/］で示されるＷｅｂページに記載されたような、Ｗｅｂサーバ上のＷｅｂアプリケーションとして実装することが可能である。
【００７４】
ここで、関連情報提供部１６では、以下のディスプレイＩＤ取得方法（１）〜（４）のいずれかにより、関連情報取得要求からディスプレイＩＤが取得される。
【００７５】
−ディスプレイＩＤ取得方法（１）−
第１の方法として、図７（Ａ）に示すように各デジタルサイネージディスプレイ３０のコンテンツ情報を表示するディスプレイ領域３１外に、当該デジタルサイネージディスプレイ３０に表示された表示用コンテンツ情報の関連情報を取得するためのＵＲＬ情報やそのＵＲＬ情報を示すバーコード情報を印刷したラベル３２を貼付しておき、利用者によりこれらのＵＲＬ情報またはバーコード情報が利用され関連情報取得要求が携帯端末４０から送信されたときに、この関連情報取得要求からディスプレイＩＤが取得される方法がある。
【００７６】
この際、このＵＲＬ情報またはバーコード情報は、貼付されたデジタルサイネージディスプレイ３０のディスプレイＩＤが埋め込まれた状態で関連情報提供部１６にアクセス可能な情報であり、利用者の携帯端末４０からこのＵＲＬ情報またはバーコードに基づいて関連情報取得要求が送信されると、関連情報提供部１６においてこの埋め込まれたデジタルサイネージディスプレイ３０のディスプレイＩＤが取得される。
【００７７】
−ディスプレイＩＤ取得方法（２）−
第２の方法として、図７（Ｂ）に示すように、上述したような当該デジタルサイネージディスプレイ３０に表示された表示用コンテンツ情報の関連情報を取得するためのＵＲＬ情報やそのＵＲＬ情報を示すバーコード情報を、ディスプレイ領域３１内に常時表示させておき、ディスプレイＩＤ取得方法（１）と同様に、利用者によりこれらのＵＲＬ情報またはバーコード情報が利用され関連情報取得要求が携帯端末４０から送信されたときに、この関連情報取得要求からディスプレイＩＤが取得される方法がある。
【００７８】
−ディスプレイＩＤ取得方法（３）−
第３の方法として、近年市販されている携帯端末に搭載されているＧＰＳ機能を利用して、関連情報取得要求からディスプレイＩＤが取得される方法がある。
【００７９】
この際関連情報提供部１６には、図８に示すようなディスプレイＩＤごとの緯度および経度による位置情報が格納された位置情報テーブルがデジタルサイネージディスプレイ３０の設置時に予め記憶された状態で、ディスプレイＩＤ取得処理が実行される。
【００８０】
この第３の方法によりディスプレイＩＤ取得処理が実行されるときの関連情報提供部１６の動作について、図９のフローチャートを参照して説明する。
【００８１】
まず、利用者の携帯端末４０から送信された、デジタルサイネージディスプレイ３０に表示された表示用コンテンツ情報の関連情報を取得するための関連情報取得要求が取得されると、携帯端末４０のＧＰＳ機能により取得されこの関連情報取得要求とともに送信された当該携帯端末の４０の位置情報がさらに取得される（Ｓ１１）。
【００８２】
次に、取得された携帯端末４０の位置情報から、位置情報テーブルが参照されることにより、予め設定された近接範囲内のデジタルサイネージディスプレイ３０に該当するレコードが特定される（Ｓ１２）。
【００８３】
この近接範囲とは、利用者がデジタルサイネージディスプレイ３０に表示されたコンテンツ情報を視認可能な程度の距離範囲であり、例えば当該携帯端末４０から１０ｍ程度の範囲で設定される。この際、東京付近においては、緯度で0.0001度の差は約１１mに相当し、経度0.0001度の差は約９mに相当するため、近接範囲として「緯度の差の絶対値が0.0001度以下」かつ「緯度の差の絶対値が0.0001度以下」という条件を設定することにより、ほぼ１０m程度の近接範囲を判定することができる。
【００８４】
次に、特定されたデジタルサイネージディスプレイ３０に該当するレコード数が１つであるか否かが判定され（Ｓ１３）、判定の結果、レコード数が１つの場合（Ｓ１３の「YES」）は当該レコードに対応するディスプレイＩＤが、利用者が見ていたデジタルサイネージディスプレイ３０のディスプレイＩＤとして取得される（Ｓ１４）。
【００８５】
また、ステップＳ１３の判定の結果、レコード数が１つではない場合（Ｓ１３の「NO」）はエラーとされ、処理が終了される（Ｓ１５）。
【００８６】
−ディスプレイＩＤ取得方法（４）−
第４の方法として、近距離の無線を利用して関連情報取得要求からディスプレイＩＤが取得される方法がある。
【００８７】
この際各デジタルサイネージディスプレイ３０には市販されている無線ＬＡＮアクセスポイントが設置され、この無線ＬＡＮアクセスポイントを一意に識別する無線ＬＡＮ−ＩＤが該当するディスプレイＩＤごとに格納された図１０に示すようなアクセスポイント情報テーブルが、デジタルサイネージディスプレイ３０の設置時に予め関連情報提供部１６に記憶された状態で、ディスプレイＩＤ取得処理が実行される。
【００８８】
図１０のアクセスポイント情報テーブルにおいては、ディスプレイＩＤ「１」のデジタルサイネージディスプレイには無線ＬＡＮ−ＩＤ「00-00-00-00-00-01」の無線ＬＡＮアクセスポイントが設置され、ディスプレイＩＤ「２」のデジタルサイネージディスプレイには無線ＬＡＮ−ＩＤ「A0-A0-A0-00-00-02」の無線ＬＡＮアクセスポイントが設置され、ディスプレイＩＤ「３」のデジタルサイネージディスプレイには無線ＬＡＮ−ＩＤ「12-34-56-78-00-03」の無線ＬＡＮアクセスポイントが設置されていることが示されている。
【００８９】
この第４の方法によりディスプレイＩＤ取得処理が実行されるときの関連情報提供部１６の動作について、図１１のフローチャートを参照して説明する。
【００９０】
まず、デジタルサイネージディスプレイ３０を視認する利用者の携帯端末４０において、当該デジタルサイネージディスプレイ３０に設置された無線ＬＡＮアクセスポイントから発信される無線ＬＡＮ−ＩＤが取得され、当該デジタルサイネージディスプレイ３０に表示された表示用コンテンツ情報の関連情報を取得するための関連情報取得要求が送信される際にこの無線ＬＡＮ−ＩＤとともに送信される。
【００９１】
関連情報提供部１６では、携帯端末４０から送信された関連情報取得要求が取得されると、この関連情報取得要求とともに送信された無線ＬＡＮ−ＩＤがさらに取得される（Ｓ２１）。
【００９２】
ここで、街中には本実施形態により設置されたもの以外にも多数の無線ＬＡＮアクセスポイントが設置されており、ステップＳ２１においては携帯端末４０においてそのような本実施形態とは無関係の無線ＬＡＮ−ＩＤも取得され、複数の無線ＬＡＮ−ＩＤリストが生成されることになる。
【００９３】
次に、アクセスポイント情報テーブルが参照されることにより、取得された無線ＬＡＮ−ＩＤリストの中の無線ＬＡＮ−ＩＤに一致するレコードが特定される（Ｓ２２）。
【００９４】
次に、特定された無線ＬＡＮ−ＩＤに該当するレコード数が１つであるか否かが判定され（Ｓ２３）、判定の結果、レコード数が１つの場合（Ｓ２３の「YES」）は当該レコードに対応するディスプレイＩＤが、利用者が見ていたデジタルサイネージディスプレイ３０のディスプレイＩＤとして取得される（Ｓ２４）。
【００９５】
また、ステップＳ２３の判定の結果、レコード数が１つではない場合（Ｓ２３の「NO」）はエラーとされ、処理が終了される（Ｓ２５）。
【００９６】
なお、上述したディスプレイＩＤ取得方法（３）のステップＳ１５およびディスプレイＩＤ取得方法（４）のステップＳ２５においては、該当するレコード数が１つに特定できなかった場合にエラーとして判定しているが、これは例えばＧＰＳ機能による位置特定の際の誤差等により範囲内と判定されなかった場合や、複数のデジタルサイネージディスプレイ３０が近接して設置されているために１つに特定されなかった場合が該当する。
【００９７】
このようなエラーに対応するために、ディスプレイＩＤ取得方法（３）やディスプレイＩＤ取得方法（４）に、ディスプレイＩＤ取得方法（１）やディスプレイＩＤ取得方法（２）を組み合わせ、エラー時には利用者の入力操作によりディスプレイＩＤが取得できるようにしておくことで、より好適な形態を構成することができる。
【００９８】
以上のようにしてディスプレイＩＤが取得されると、関連情報提供部１６においてさらに、このディスプレイＩＤに該当するデジタルサイネージディスプレイ３０の表示履歴情報が、表示履歴情報管理部１４により表示履歴情報記憶部１３から参照され、該当するデジタルサイネージディスプレイ３０に表示されたコンテンツ情報の関連情報にアクセスさせるためのアクセスページ情報が生成されて携帯端末４０に返信される（Ｓ６）。
【００９９】
このアクセスページ情報は、例えば以下のアクセスページ生成方法（１）または（２）のいずれかにより、関連情報提供部１６により生成される。
【０１００】
−アクセスページ生成方法（１）−
アクセスページを生成する第１の方法について、図１２のフローチャートを参照して説明する。
【０１０１】
まず、図５の表示履歴情報の中から、ステップＳ５において取得されたディスプレイＩＤに該当し、且つ現在時刻から予め設定された許容時間を差し引いた時刻よりも後であり、現在時刻よりも前の時刻である表示時刻のレコードのコンテンツＩＤが、降順に検索され抽出される（Ｓ３１）。
【０１０２】
この許容時間とは、現在時刻からどの程度遡って関連情報の提供を可能とするかを示す時間として予め設定されるものであり、例えば５分として設定される。
【０１０３】
次に、図３または図４のコンテンツ情報テーブルから、ステップＳ３１において抽出されたコンテンツＩＤに対応する見出し用コンテンツ情報および関連サイトのＵＲＬ情報が取得され（Ｓ３２）、この取得された情報から、ＨＴＭＬ文書によるアクセスページ情報が生成される（Ｓ３３）。
【０１０４】
生成されたＨＴＭＬ文書のアクセスページ情報は、携帯端末４０から送信されたＨＴＴＰリクエストに対するレスポンスとして、ネットワーク２０を介して関連情報取得要求元の携帯端末４０に返信され、表示される（Ｓ３４）。
【０１０５】
携帯端末４０に表示されたアクセスページ情報の例を、図１３（Ａ）および（Ｂ）に示す。
【０１０６】
図１３（Ａ）は図３のコンテンツ情報テーブルから抽出されたレコードにより生成され表示されたアクセスページ情報１００であり、抽出されたレコード内の情報から、画像情報の見出し用コンテンツ情報１１０と、関連サイトへのＵＲＬ情報１２０にリンクされたテキスト情報「詳細はこちら」とが、それぞれ対応して表示されるように構成されている。
【０１０７】
また図１３（Ｂ）は図４のコンテンツ情報テーブルから抽出されたレコードにより生成され表示されたアクセスページ情報１００であり、抽出されたレコード内の情報から、関連サイトへのＵＲＬ情報１２０にリンクされた、テキスト情報の見出し用コンテンツ情報１３０が、それぞれ表示されるように構成されている。
【０１０８】
−アクセスページ生成方法（２）−
アクセスページを生成する第２の方法について、図１４〜図１７を参照して説明する。
【０１０９】
まず、アクセスページ生成方法（１）のステップＳ３１の処理と同様に、図５の表示履歴情報の中から、ステップＳ５において取得されたディスプレイＩＤに該当し、且つ現在時刻から予め設定された許容時間を差し引いた時刻よりも後であり、現在時刻よりも前の時刻である表示時刻のレコードのコンテンツＩＤが、降順に検索され抽出される（Ｓ４１）。
【０１１０】
次に、関連情報提供部１６で機能するＷｅｂアプリケーションフレームワークの機能によりＨＴＴＰセッションＩＤ(sid)が発行され、このsidセッション用の保存領域に、抽出されたコンテンツＩＤが、図１５に示すようにリストとして保存される（Ｓ４２）。そして、パラメータ「?sessid=sid&page=0」が付加された表示ページへリダイレクションされる（Ｓ４３）。
【０１１１】
このリダイレクション後、あるいは携帯端末４０の利用者の操作により、図１６に示すアクセスページ表示処理が実行される。
【０１１２】
アクセスページ表示処理では、まずＵＲＬのsessidパラメータからセッションＩＤ(sid)が取得されるとともに、pageパラメータからページ番号(p)が取得される（Ｓ４４）。
【０１１３】
次に、取得されたセッションＩＤ(sid)のセッション用の保存領域から、レコードのリストList[p]が取得される（Ｓ４５）。
【０１１４】
次に、図３または図４のコンテンツ情報テーブルから、ステップＳ４５で取得されたList[p]のコンテンツＩＤに対応する見出し用コンテンツ情報および関連サイトのＵＲＬ情報が取得され（Ｓ４６）、この取得された情報から、ＨＴＭＬ文書によるアクセスページ情報が生成される（Ｓ４７）。
【０１１５】
生成されたＨＴＭＬ文書のアクセスページ情報は、携帯端末４０から送信されたＨＴＴＰリクエストに対するレスポンスとして、ネットワーク２０を介して関連情報取得要求元の携帯端末４０に返信され、表示される（Ｓ４８）。
【０１１６】
この方法により携帯端末４０に表示されたアクセスページ情報の例を、図１７に示す。
【０１１７】
図１７は、図３のコンテンツ情報テーブルから抽出されたレコードにより生成され表示されたアクセスページ情報２００であり、該当する１つの見出し用コンテンツ情報（content_this_page）を表示する見出し用コンテンツ情報表示エリア２１０と、次の見出し用コンテンツ情報へ遷移するために、パラメータ（?sesssid=sid&page={{p+1}}）が付加されたページにリンクされたテキスト情報「次→」２２０と、前の見出し用コンテンツ情報へ遷移するために、パラメータ（?sesssid=sid&page={{p-1}}）が付加されたページにリンクされたテキスト情報「←前」２２０と、見出し用コンテンツ情報表示エリア２１０に表示されている見出し用コンテンツ情報に対応する関連サイトへのＵＲＬ情報のページ（url_this_page）にリンクされたテキスト情報「詳細はこちら」２４０とが、それぞれ表示されるように構成されている。
【０１１８】
このアクセスページ生成方法（２）により生成されるアクセスページ情報は、アクセスページ生成方法（１）で生成されるアクセスページ情報の場合よりも１つの見出しコンテンツ情報の表示エリアが広いため、見出しコンテンツ情報をより大きめのサイズで生成しておいたほうが好適である。
【０１１９】
また、このアクセスページ生成方法（２）では、ページの前後への移動操作により関連サイトへアクセスできるようにしているため、図１６の処理において、利用者からの操作に対応して複数に分かれたＨＴＴＰリクエストに対し、同じリストに基づく処理を行う必要があるが、この処理については上述したＵＲＬ［http://tomcat.apache.org/］またはＵＲＬ［http://www.djangoproject.com/］で示されるＷｅｂページに記載されたHttp Sessionという機能を利用することにより実施可能である。
【０１２０】
また、より好適な実施形態として、携帯端末の機種に応じて、見出し用コンテンツ情報の表示を切り替える方法もある。
【０１２１】
一口に携帯端末と言っても、現在市販されているものは、その端末の表示領域のサイズや処理能力、搭載されている通信モジュールの伝送速度などの性能に差がある。
【０１２２】
特に性能の高い携帯端末では、通常のＰＣ向けに表示されるコンテンツ（動画を含む）をそのまま表示可能なものもある。
【０１２３】
そのため、既存の携帯端末向けＷｅｂサイトには、ＨＴＴＰリクエストに通常付加される端末の機種名の情報を元に、その機種に適したコンテンツに切り替えて返信する技術が使用されていることがある。
【０１２４】
このような公知の技術を、本実施形態においても用いることができる。例えば、コンテンツ情報記憶部１１に、図１８に示すような、１つのコンテンツＩＤに対し複数の異なる形式の見出し用コンテンツ情報データを格納したコンテンツ情報テーブルを記憶しておき、関連情報提供部１６には、図１９に示すような、機種名ごとの使用する見出し用コンテンツ情報の形式を設定した機種別コンテンツ情報テーブルを記憶しておくことで、使用する見出し用コンテンツ情報を都度選択する処理を行うことができる。
【０１２５】
関連情報提供部１６において実行される、見出し用コンテンツ情報を選択する処理について、図２０のフローチャートを参照して説明する。
【０１２６】
まず、携帯端末から送信されたＨＴＴＰリクエストに付加されている当該携帯端末の機種名の情報が取得される（Ｓ５１）。
【０１２７】
次に、この携帯端末の機種名の情報の取得が成功したか否かが判定される（Ｓ５２）。
【０１２８】
そして、携帯端末の機種名の情報の取得が成功したと判定されたときには（Ｓ５２の「YES」）、図１９の機種別コンテンツ情報テーブルが参照され、取得された機種名の情報から見出し用コンテンツ情報として表示させる形式が特定され、該当するコンテンツ情報がコンテンツ情報管理部１２を介してコンテンツ情報記憶部１１から取得される（Ｓ５３）。
【０１２９】
次に、この特定されたコンテンツ情報の取得が成功したか否かが判定される（Ｓ５４）。
【０１３０】
そして、特定されたコンテンツ情報の取得が成功したと判定されたときには（Ｓ５４の「YES」）、取得されたコンテンツ情報が携帯端末に返信される。つまり、特定された形式により表示用コンテンツ情報が取得されたときにはこの表示用コンテンツ情報が返信され、画像情報の見出し用コンテンツ情報が取得されたときにはこの画像情報の見出し用コンテンツ情報が返信され、またテキスト情報によるタイトルの見出し用コンテンツ情報が取得されたときにはこのテキスト情報によるタイトルの見出し用コンテンツ情報が返信される（Ｓ５５〜Ｓ５８）。
【０１３１】
この例では、特に性能の高い携帯端末では、デジタルサイネージディスプレイに表示させるための表示用コンテンツ情報をそのまま表示できるものとしている。
【０１３２】
すなわち、この場合、表示用コンテンツ情報自体が、見出し用コンテンツ情報の一種（高性能携帯端末向け）にもなっている例となる。
【０１３３】
なお、図２０の処理では、ＨＴＴＰリクエストからの機種名取得失敗時（Ｓ５２の「NO」）や、未登録の携帯端末機種からのアクセス時（Ｓ５４の「NO」）においては、標準値としてテキスト情報によるタイトル形式の見出し用コンテンツ情報を返信することとしているが、この実施方式に限定されず、他の形式のコンテンツ情報を標準値としたり、これらの場合に使用する形式のコンテンツ情報を新たに設定したりしてもよい。
【０１３４】
このように返信されたアクセスページ情報が携帯端末４０に表示されることにより、利用者が見出し用コンテンツ情報として表示された情報から所望のコンテンツを容易に選択することができ、また選択されたコンテンツの関連サイトへ容易にアクセスすることが可能なる。
【０１３５】
利用者により、携帯端末４０から、このサイネージシステム１が利用されるときの具体例を示す。
【０１３６】
例えば、あるデジタルサイネージディスプレイ３０の前にいる利用者が、「xxxx銀行xxxx支店」「xxxx屋xxxx店」「xxxx美容室」と順に流れる表示用コンテンツ情報を眺めている。
【０１３７】
その時点で、この利用者は、この「xxxx美容室」に興味をもち、詳細な場所や料金などの情報を知りたいと考えたとする。
【０１３８】
この利用者は、自分自身の保持する携帯端末４０を使い、バーコードの読み取りやＧＰＳ機能により取得された位置情報を利用してサイネージディスプレイ表示情報提供装置１０へのアクセス操作を行う。
【０１３９】
その際、この利用者がそのような操作をしている間に、サイネージディスプレイの表示は、次の「xxxxレストラン」に切り替わってしまっているかもしれない。しかしながら、たとえ切り替わっていたとしても、バーコード等は不変であるため、この利用者はデジタルサイネージディスプレイ３０に表示されているコンテンツの内容にかかわらず、図１３（Ａ）または（Ｂ）のようなリスト形式のアクセスページ情報、あるいは図１７のようなアクセスページ情報を取得することができる。
【０１４０】
利用者はこのアクセスページ情報のリストの見出しコンテンツ情報から、自分が興味をもったコンテンツの関連サイトへ簡単にアクセスすることが可能となる。
【０１４１】
特に、今見たばかりのデジタルサイネージディスプレイ３０の表示がキャプチャされた画像情報による見出しコンテンツ情報が表示されると、よりどのページへアクセスすべきかが容易に判別できる。
【０１４２】
以上の本実施形態によれば、所定時間ごとに切り替えられてデジタルサイネージディスプレイに表示されるコンテンツに関連する情報を、容易に利用者の携帯端末に提供することができる。
【０１４３】
また、上記の各実施形態におけるサイネージディスプレイ表示情報提供装置の機能構成をプログラム化してコンピュータに組み込むことにより、当該コンピュータをサイネージディスプレイ表示情報提供装置として機能させるサイネージディスプレイ表示情報提供用プログラムを構築することも可能である。
【符号の説明】
【０１４４】
１…サイネージシステム
１０…サイネージディスプレイ表示情報提供装置
１１…コンテンツ情報記憶部
１２…コンテンツ情報管理部
１３…表示履歴情報記憶部
１４…表示履歴情報管理部
１５…配信制御部
１６…関連情報提供部
２０…ネットワーク
３０…デジタルサイネージディスプレイ
３１…ディスプレイ領域
３２…ラベル
４０…携帯端末
１００…アクセスページ情報
１１０…画像情報の見出し用コンテンツ情報
１２０…ＵＲＬ情報
１３０…テキスト情報の見出し用コンテンツ情報
２００…アクセスページ情報
２１０…見出し用コンテンツ情報表示エリア
【図１】
2012018457.tif 000003
【図２】
2012018457.tif 000004
【図３】
2012018457.tif 000005
【図４】
2012018457.tif 000006
【図５】
2012018457.tif 000007
【図６】
2012018457.tif 000008
【図７】
2012018457.tif 000009
【図８】
2012018457.tif 000010
【図９】
2012018457.tif 000011
【図１０】
2012018457.tif 000012
【図１１】
2012018457.tif 000013
【図１２】
2012018457.tif 000014
【図１３】
2012018457.tif 000015
【図１４】
2012018457.tif 000016
【図１５】
2012018457.tif 000017
【図１６】
2012018457.tif 000018
【図１７】
2012018457.tif 000019
【図１８】
2012018457.tif 000020
【図１９】
2012018457.tif 000021
【図２０】
2012018457.tif 000022